(57)【要約】【課題】発光効率が高く、かつ書込み放電を高速で安定して行うことができるプラズマディスプレイパネルを提供する。【解決手段】走査電極２２と、維持電極２３と、データ電極３２と、データ電極３２と交差する方向に配置されたプライミング電極３６と、データ電極３２と平行に配置され主放電セル４０を形成する縦壁部と、走査電極２２および維持電極２３と平行に配置され主放電セル４０の間に隙間部４１を形成する横壁部３４ｂとを備え、走査電極２２と維持電極２３との主放電ギャップを走査電極２２または維持電極２３とデータ電極３２との副放電ギャップよりも長くする。【選択図】図１
2005174850.tif 000002
【特許請求の範囲】
【請求項１】
第１の基板上に互いに平行となるように配置した走査電極および維持電極と、
放電空間を挟んで前記第１の基板に対向配置される第２の基板上に前記走査電極および前記維持電極と交差する方向に配置したデータ電極と、
前記データ電極を覆うように形成した誘電体層と、
前記誘電体層上に設け前記走査電極および前記維持電極と平行に配置した複数のプライミング電極と、
前記走査電極および前記維持電極と前記データ電極とで形成される複数の主放電セルと、前記走査電極と前記プライミング電極とで形成される複数のプライミング放電セルとを区画し、前記データ電極と平行に形成した縦壁および前記データ電極と交差する方向に形成した横壁を備えた隔壁とを有し、
前記走査電極と前記維持電極との間で放電を起こすときの放電ギャップが前記走査電極または前記維持電極と前記データ電極との間で放電を起こすときの放電ギャップよりも長く形成されていることを特徴とするプラズマディスプレイパネル。
【請求項２】
前記横壁の前記主放電セル側の壁面に前記走査電極または前記維持電極と対向する面を有する段差を設けたことを特徴とする請求項１記載のプラズマディスプレイパネル。
【請求項３】
前記横壁は前記誘電体層上に形成される第１の横壁と前記第１の横壁上に形成される第２の横壁との少なくとも２つの部分を有し、前記第１の横壁の幅を前記第２の横壁よりも広く形成し、前記第１の横壁を前記主放電セル内に突出させて前記段差を設けたことを特徴とする請求項２記載のプラズマディスプレイパネル。
【発明の詳細な説明】
【技術分野】
【０００１】
本発明はプラズマディスプレイパネル（以下、パネルとも記す）に関する。
【背景技術】
【０００２】
近年、急速に市場規模を拡大してきたプラズマディスプレイ装置は、大画面、薄型、軽量を特徴とする視認性に優れた表示デバイスである。また、ハイビジョン放送に代表される高精細映像に対応するため、プラズマディスプレイパネルの高精細化が進められている。プラズマディスプレイパネルの電極構造にはいくつかの種類があるが、現在は大画面化、高精細化に適したＡＣ型３電極プラズマディスプレイパネルが主流となっている。
【０００３】
ＡＣ型３電極プラズマディスプレイパネルは、一般に対向配置された前面板と背面板との間に多数の放電セルを形成している。前面板は、走査電極と維持電極とからなる表示電極が前面ガラス基板上に互いに平行に対をなして複数形成され、それら表示電極を覆うように誘電体層および保護層が形成されている。背面板は、背面ガラス基板上に複数の平行なデータ電極と、それらを覆うように設けられた誘電体層と、さらにその上にデータ電極と平行に複数の隔壁がそれぞれ形成され、誘電体層の表面と隔壁の側面とに蛍光体層が形成されている。そして、表示電極とデータ電極とが立体交差するように前面板と背面板とを対向配置して密封し、内部の放電空間に放電ガスを封入している。
【０００４】
ＡＣ型プラズマディスプレイパネルを駆動する方法としては、１フィールド期間を複数のサブフィールドに分割し、発光させるサブフィールドの組合せによって階調表示を行う、いわゆるサブフィールド法が一般的である。各サブフィールドは初期化期間、書込み期間および維持期間を有する。
【０００５】
初期化期間では、プラズマディスプレイパネルを構成する全ての放電セルに初期化放電を起こし、続く書込み放電に必要な励起粒子（以下、プライミング粒子と記す）を発生させるための初期化パルスを印加する。続く書込み期間では、プラズマディスプレイパネルに備えられた走査電極およびデータ電極にそれぞれ走査パルスおよび書込みパルスを順次印加し、選択的な書込み放電を起こす。続く維持期間では走査電極と維持電極との間に所定の回数の維持パルスを印加して維持放電を起こし、放電セルを発光させる。
【０００６】
このようなプラズマディスプレイパネルに対し、より明るく、より消費電力の低いものが市場において望まれている。
【０００７】
こういった要求に対し、例えば、走査電極と維持電極との間で放電を起こすときの放電ギャップ（以下、主放電ギャップと略記する）を走査電極または維持電極とデータ電極との間で放電を起こすときの放電ギャップ（以下、副放電ギャップと略記する）よりも長く構成することで、単位消費電力当たりの発光輝度（以下、発光効率と略記する）を改善したパネルとその駆動方法が提案されている（特許文献１参照）。
【特許文献１】特開２０００−３０５５１６号公報
【発明の開示】
【発明が解決しようとする課題】
【０００８】
放電セルにおいて放電を起こす場合、放電電圧を印加してから放電を開始するまでに時間差（以下、放電遅れと略記する）がある。そのため、放電セルを安定して放電させるには、走査パルスおよび書込みパルスのパルス幅を少なくとも放電遅れより長くしなければならない。特に、プラズマディスプレイパネルを高精細化する場合、高精細化によって走査電極の数が増え、そのために書込み期間が長くなるので、放電遅れを小さくして書込み動作を高速化することは重要である。
【０００９】
しかしながら、上述のパネルにおいては、発光効率を改善する効果はあるものの、この放電遅れに対しての改善効果はなく、このパネルを高精細化するためには書込み動作を高速、安定化することが課題であった。
【００１０】
本発明はこのような課題に鑑みてなされたものであり、発光効率が高く、さらに書込み動作の高速、安定化を実現することができるプラズマディスプレイパネルを提供することを目的とする。
【課題を解決するための手段】
【００１１】
本発明のプラズマディスプレイパネルは、第１の基板上に互いに平行となるように配置した走査電極および維持電極と、放電空間を挟んで第１の基板に対向配置される第２の基板上に走査電極および維持電極と交差する方向に配置したデータ電極と、データ電極を覆うように形成した誘電体層と、誘電体層上に設け走査電極および維持電極と平行に配置した複数のプライミング電極と、走査電極および維持電極とデータ電極とで形成される複数の主放電セルと、走査電極とプライミング電極とで形成される複数のプライミング放電セルとを区画し、データ電極と平行に形成した縦壁およびデータ電極と交差する方向に形成した横壁とを有し、走査電極と維持電極との間で放電を起こすときの放電ギャップが走査電極または維持電極とデータ電極との間で放電を起こすときの放電ギャップよりも長く形成されていることを特徴とする。
【００１２】
このような構成によれば、プラズマディスプレイパネルの発光効率を高め、さらに、第２の基板上にプライミング電極を配置することで、書込み動作の高速、安定化を実現することができる。
【００１３】
また、横壁の主放電セル側の壁面に走査電極または維持電極と対向する面を有する段差を設ける構成であってもよい。
【００１４】
このような構成によれば、走査電極または維持電極とデータ電極との放電の際に印加する駆動電圧を抑えることができる。
【００１５】
また、横壁は誘電体層上に形成される第１の横壁と第１の横壁上に形成される第２の横壁との少なくとも２つの部分を有し、第１の横壁の幅を第２の横壁よりも広く形成し、第１の横壁を主放電セル内に突出させて段差を設ける構成であってもよい。
【００１６】
このような構成によっても、走査電極または維持電極とデータ電極との放電の際に印加する駆動電圧を抑えることができる。
【発明の効果】
【００１７】
本発明のプラズマディスプレイパネルによれば、発光効率が高く、さらに、書込み放電を高速で安定して行うことができるプラズマディスプレイパネルを提供することができる。
【発明を実施するための最良の形態】
【００１８】
以下、本発明の実施の形態におけるプラズマディスプレイパネルについて、図面を用いて説明する。
【００１９】
（第１の実施の形態）
図１は本発明の第１の実施の形態におけるプラズマディスプレイパネルを示す断面図であり、図２は同パネルの背面基板側の構造を模式的に示す斜視図である。
【００２０】
図１に示すように、第１の基板であるガラス製の前面基板２１と第２の基板である背面基板３１とが放電空間を挟んで対向配置され、放電空間には放電によって紫外線を放射するネオンおよびキセノンの混合ガスが封入されている。
【００２１】
前面基板２１上には、走査電極２２と維持電極２３とが互いに平行に対をなして複数形成されている。このとき、維持電極２３−走査電極２２−走査電極２２−維持電極２３−・・・となるように２本ずつ交互に配列されている。走査電極２２と維持電極２３はそれぞれ透明電極２２ａ、２３ａと、透明電極２２ａ、２３ａ上に形成された金属母線２２ｂ、２３ｂとから構成されている。ここで、走査電極２２−走査電極２２間、および維持電極２３−維持電極２３間には黒色材料からなる光吸収層２８が設けられている。
【００２２】
走査電極２２のうち、一方の走査電極２２の金属母線２２ｂの突出部分２２ｂ’は光吸収層２８上にまで突出して形成されている。そして、これらの走査電極２２、維持電極２３および光吸収層２８を覆うように誘電体層２４および保護層２５が形成されている。
【００２３】
背面基板３１上には、走査電極２２および維持電極２３と交差する方向に、データ電極３２が互いに平行に複数形成されている。データ電極３２を覆うように誘電体層３３ａが形成され、誘電体層３３ａの上に、データ電極３２と交差する方向にプライミング電極３６が複数形成されている。誘電体層３３ａはデータ電極３２とプライミング電極３６との間を絶縁しており、プライミング電極３６を覆うようにさらに誘電体層３３ｂが形成されている。
【００２４】
誘電体層３３ｂの上に隔壁３４が形成され、隔壁３４は放電空間を区画して、走査電極２２および維持電極２３とデータ電極３２とを有した主放電セル４０を形成している。隔壁３４は、図２に示すように、データ電極３２と平行な方向に延びる縦壁部３４ａと、走査電極２２および維持電極２３と平行な方向に延び、主放電セル４０の間に隙間部４１を形成する横壁部３４ｂとで構成されている。隙間部４１はひとつおきにプライミング電極３６を有し、プライミング電極３６を有した隙間部４１はプライミング放電セル（以下、プライミングセルと略記する）４１ａとして形成される。そして、隔壁３４により区画された主放電セル４０に対応する誘電体層３３ｂの表面と隔壁３４の側面とに蛍光体層３５が設けられている。
【００２５】
前面基板２１と背面基板３１を対向配置して封着する際、前面基板２１上に形成された走査電極２２の金属母線２２ｂのうち光吸収層２８上に突出した突出部分２２ｂ’と、背面基板３１上に形成されたプライミング電極３６とが平行に、かつプライミングセル４１ａを挟んで対向するように位置合わせする。すなわち、図１、図２に示したプラズマディスプレイパネルは、前面基板２１側に形成された突出部分２２ｂ’と、背面基板３１側に形成されたプライミング電極３６との間でプライミング放電を行う構成となっている。また、図１ではプライミングセル４１ａ側に蛍光体層３５を形成していないが、これは、放電を阻害する働きのある蛍光体層を設けないことでプライミング放電を発生しやすくするためである。さらに、突出部分２２ｂ’とプライミング電極３６との間隔はデータ電極３２と透明電極２２ａとの間隔よりも短いので、プライミング放電は書込み放電よりも放電開始電圧が低く、放電が発生しやすい。
【００２６】
なお、図１、図２にはプライミング電極３６を覆うようにさらに誘電体層３３ｂが形成されているが、この誘電体層３３ｂは形成しなくてもよい。
【００２７】
また、本発明の第１の実施の形態では、走査電極２２と維持電極２３との間で放電を起こすときの放電ギャップ（以下、主放電ギャップと略記する）が走査電極２２または維持電極２３とデータ電極３２との間で放電を起こすときの放電ギャップ（以下、副放電ギャップと略記する）よりも長くなるように構成している（以下、この構成を長ギャップ構成と略記する）。ここで、副放電ギャップは、走査電極２２または維持電極２３とデータ電極３２とが対向する領域にある保護層２５の表面から蛍光体層３５の表面までの距離をあらわす。
【００２８】
図３は主放電ギャップと発光輝度との関係を調べるために行った実験結果をまとめた図である。図３において横軸は主放電ギャップを、縦軸は主放電ギャップが８０μｍのときの発光輝度を１とした輝度比をあらわしている。主放電ギャップがそれぞれ８０μｍ、２４０μｍ、４５０μｍのパネルを製作し、１００％ホワイトパタンの映像信号を入力して、１周期１２μｓｅｃの駆動パルスを１６ｍｓｅｃ間に２５５回印加してパネルを発光させ、輝度計でそれぞれの発光輝度を測定するという手順で実験を行った。また、印加した駆動パルス電圧は放電開始電圧とし、８０μｍで２１３Ｖ、２４０μｍで２６１Ｖ、４５０μｍで２８７Ｖとした。この実験から主放電ギャップが８０μｍで発光輝度６８．９ｃｄ／ｍ２、２４０μｍで２４８ｃｄ／ｍ２、４５０μｍで３７１ｃｄ／ｍ２という結果が得られ、輝度比ではそれぞれ、１、約３．６、約５．４となった。
【００２９】
次に、上述の実験において発光輝度を測ると同時に消費電力も測定し、発光輝度を消費電力で除算した発光効率をそれぞれ算出した。図４は上述の実験に基づき主放電ギャップと発光効率との関係をまとめた図である。図４において横軸は主放電ギャップを、縦軸は主放電ギャップが８０μｍのときの発光効率を１とした発光効率比をあらわしている。例えば、発光効率比１．５では主放電ギャップ８０μｍのパネルに対して単位消費電力当たり１．５倍の発光輝度が得られることを示す。この実験から主放電ギャップが８０μｍで発光効率１．０６ｌｍ／Ｗ、２４０μｍで１．６４ｌｍ／Ｗ、４５０μｍで１．７２ｌｍ／Ｗという結果が得られ、発光効率比ではそれぞれ、１、約１．５５、約１．６２となった。
【００３０】
本発明の第１の実施の形態では以上の実験結果に基づき、４２インチのハイビジョン対応のパネルにおいて、主放電セル４０および隙間部４１を合わせた幅（図１のｄＡ）を約６７５μｍ、主放電セルの幅（図１のｄＢ）を約３７５μｍ、主放電ギャップ（図１のｄC）を約１７５〜２３５μｍ、副放電ギャップ（図１のｄＤ１）を約１５０μｍとしている。
【００３１】
図５は本発明の第１の実施の形態におけるプラズマディスプレイパネルの電極配列図である。列方向にｍ列のデータ電極Ｄ１〜Ｄｍ（図１のデータ電極３２）が配列され、行方向にｎ行の走査電極ＳＣ１〜ＳＣｎ（図１の走査電極２２）とｎ行の維持電極ＳＵ１〜ＳＵｎ（図１の維持電極２３）とが維持電極ＳＵ１−走査電極ＳＣ１−走査電極ＳＣ２−維持電極ＳＵ２−・・・となるように２本ずつ交互に配列されている。そして、本発明の第１の実施の形態においては奇数行目の走査電極ＳＣ１、ＳＣ３、・・・の突出部分２２ｂ’（図１の突出部分２２ｂ’）と対向するようにｎ／２本のプライミング電極ＰＲ１、ＰＲ３、・・・（図１のプライミング電極３６）が配列されている。
【００３２】
そして、一対の走査電極ＳＣｉ、維持電極ＳＵｉ（ｉ＝１〜ｎ）とひとつのデータ電極Ｄｊ（ｊ＝１〜ｍ）とを含む放電セルＣｉ，ｊ（図１の主放電セル４０）が放電空間内に形成される。このとき放電セルＣの総数はｍ×ｎ個になる。また１〜ｎ行のうちの奇数行に走査電極ＳＣｉの突出部分２２ｂ’とプライミング電極ＰＲｉとを含むプライミングセルＰＳｉ（図１のプライミングセル４１ａ）が形成され、プライミングセルＰＳの総数はｎ／２になる。
【００３３】
このように、本発明の第１の実施の形態におけるプラズマディスプレイパネルにおいては、奇数行目の走査電極ＳＣｐ（ｐ＝奇数）は突出部分２２ｂ’をもち、自己の走査に伴ってプライミング放電を発生させるとともに書込みを行う。一方、偶数行目の走査電極ＳＣｐ＋１は突出部分２２ｂ’がなく、自己の走査に伴うプライミング放電を発生させずに書込みを行う。
【００３４】
次に、パネルを駆動するための駆動波形とそのタイミングについて説明する。
【００３５】
図６は、本発明の第１の実施の形態におけるプラズマディスプレイパネルの駆動波形図である。なお、本発明の第１の実施の形態においては、１フィールド期間が初期化期間、書込み期間、維持期間を有する複数のサブフィールドから構成されており、それぞれのサブフィールドは維持期間における維持パルスの数が異なる以外はほぼ同様の動作を行うので、ここではひとつのサブフィールドについてのみ動作を説明する。
【００３６】
初期化期間前半部では、データ電極Ｄ１〜Ｄｍ、維持電極ＳＵ１〜ＳＵｎおよびプライミング電極ＰＲ１〜ＰＲｎ−１をそれぞれ０Ｖに保持し、走査電極ＳＣ１〜ＳＣｎには、データ電極Ｄ１〜Ｄｍに対して放電開始電圧以下の電圧Ｖｉ１から、放電開始電圧を超える電圧Ｖｉ２に向かって緩やかに上昇する傾斜波形電圧を印加する。この傾斜波形電圧が上昇する間に、走査電極ＳＣ１〜ＳＣｎとデータ電極Ｄ１〜Ｄｍ、プライミング電極ＰＲ１〜ＰＲｎ−１との間でそれぞれ１回目の微弱な初期化放電が起こる。このとき、長ギャップ構成によって走査電極ＳＣ１〜ＳＣｎ−維持電極ＳＵ１〜ＳＵｎ間の放電開始電圧が高くなっているため、走査電極ＳＣ１〜ＳＣｎと維持電極ＳＵ１〜ＳＵｎとの間では放電を起こさない。そして、走査電極ＳＣ１〜ＳＣｎ上部に負の壁電圧が蓄積されるとともに、データ電極Ｄ１〜Ｄｍ上部およびプライミング電極ＰＲ１〜ＰＲｎ−１上部には正の壁電圧が蓄積される。ここで、電極上部の壁電圧とは電極を覆う誘電体層上に蓄積された壁電荷により生じる電圧をあらわす。
【００３７】
初期化期間後半部では、走査電極ＳＣ１〜ＳＣｎには、データ電極Ｄ１〜Ｄｍに対して放電開始電圧以下となる電圧Ｖｉ３から放電開始電圧を超える電圧Ｖｉ４に向かって緩やかに下降する傾斜波形電圧を印加する。この間に、走査電極ＳＣ１〜ＳＣｎとデータ電極Ｄ１〜Ｄｍ、プライミング電極ＰＲ１〜ＰＲｎ−１との間でそれぞれ２回目の微弱な初期化放電が起こる。このときも同様に、走査電極ＳＣ１〜ＳＣｎと維持電極ＳＵ１〜ＳＵｎとの間で放電は起こさない。そして、走査電極ＳＣ１〜ＳＣｎ上部の負の壁電圧が弱められ、データ電極Ｄ１〜Ｄｍ上部の正の壁電圧は書込み動作に適した値に調整され、プライミング電極ＰＲ１〜ＰＲｎ−１上部の正の壁電圧もプライミング動作に適した値に調整される。以上により初期化動作が終了する。
【００３８】
書込み期間では、走査電極ＳＣ１〜ＳＣｎを一旦電圧Ｖｃに保持する。そして、プライミング電極ＰＲ１〜ＰＲｎ−１に電圧変化分（Ｖｃ−Ｖｉ４）とほぼ等しい電圧Ｖｑを印加する。
【００３９】
まず、奇数行目の放電セルＣｐ，１〜Ｃｐ，ｍの書込み動作では、走査電極ＳＣｐに走査パルス電圧Ｖａを印加するとともに、表示すべき画像信号に対応するデータ電極Ｄｋ（ｋは１〜ｍの整数）に正の書込みパルスＶｄを印加する。奇数行目の走査電極ＳＣｐは自己の走査に伴ってプライミング放電を発生させるとともに書込みを行う走査電極である。したがって、この走査パルス電圧Ｖａの印加により、プライミングセルＰＳｐにおいてプライミング電極ＰＲｐと走査電極ＳＣｐとの間でプライミング放電が発生し、放電セルＣｐ，１〜Ｃｐ，ｍと放電セルＣｐ＋１，１〜ＣＰ＋１，ｍとの内部にプライミングが供給される。このときの放電は、上述したようにプライミングセルが放電しやすい構造であるため、放電遅れが小さく速い安定したプライミング放電となる。
【００４０】
その後引き続いて書込みパルス電圧を印加したデータ電極Ｄｋに対応する放電セルＣｐ、ｋで書込み放電が発生する。このとき、放電セルＣｐ，ｋの放電は走査電極ＳＣｐとプライミング電極ＰＲｐとの間で発生したプライミング放電からプライミングが供給されつつ発生するので、プライミングセルからプライミングの供給が始まるまでの時間遅れはあるものの、プライミング供給後は放電遅れが小さく安定した放電となる。
【００４１】
この書込み放電により放電セルＣｐ，ｋの走査電極ＳＣｐ上部に正電圧が蓄積され、維持電極ＳＵｐ上部に負電圧が蓄積されて、奇数行目の書込み動作が終了する。
【００４２】
次に、偶数行目の放電セルＣｐ＋１，１〜ＣＰ＋１，ｍの書込み動作では、ｐ＋１行目の走査電極ＳＣＰ＋１に走査パルス電圧Ｖａを印加すると同時に、データ電極Ｄ１〜Ｄｍのうちｐ＋１行目に表示すべき画像信号に対応するデータ電極Ｄｋに正の書込みパルス電圧Ｖｄを印加する。これにより、データ電極Ｄｋと走査電極ＳＣＰ＋１との交差部で放電が発生する。このとき、放電セルＣＰ＋１，ｋでは走査電極ＳＣｐとプライミング電極ＰＲｐとの間で発生したプライミング放電から十分なプライミングがすでに供給された状態で放電が発生するので、書込み放電の放電遅れは非常に小さく安定した放電となる。
【００４３】
この書込み放電により放電セルＣｐ＋１，ｋの走査電極ＳＣｐ＋１上部に正電圧が蓄積され、維持電極ＳＵｐ＋１上部に負電圧が蓄積されて、偶数行目の書込み動作が終了する。
【００４４】
以下、同様の書込み動作をｎ行目の放電セルＣｎ，ｋに至るまで行い、書込み動作が終了する。
【００４５】
維持期間では、走査電極ＳＣ１〜ＳＣｎを０Ｖに一旦戻した後、走査電極ＳＣ１〜ＳＣｎに正の維持パルス電圧Ｖｓを印加し、その後、維持電極ＳＵ１〜ＳＵｎを０Ｖに戻す。このとき、書込み放電を起こした放電セルＣｉ，ｊにおける走査電極ＳＣｉ上部と維持電極ＳＵｉ上部との間の電圧は、正の維持パルス電圧Ｖｓに加えて、書込み期間において走査電極ＳＣｉ上部および維持電極ＳＵｉ上部に蓄積された壁電圧が加算されて、放電開始電圧より大きくなる。ほぼ同時に維持電極ＳＵ１〜ＳＵｎとデータ電極Ｄ１〜Ｄｍとの間で放電が発生し、この放電を補助放電として放電セルＣｉ，ｊにおける走査電極ＳＣｉと維持電極ＳＵｉとの間の放電が誘発されて、１回目の維持放電が発生する。１回目の維持放電の後、維持電極ＳＵ１〜ＳＵｎにＶｓを印加し、その後、走査電極ＳＣ１〜ＳＣｎを０Ｖに戻す。このとき、書込み放電を起こした放電セルＣｉ，ｊにおける走査電極ＳＣｉ上部と維持電極ＳＵｉ上部との間の電圧は、正の維持パルス電圧Ｖｓに加えて、書込み期間において走査電極ＳＣｉ上部および維持電極ＳＵｉ上部に蓄積された壁電圧が加算されて、放電開始電圧より大きくなる。ほぼ同時に走査電極ＳＣ１〜ＳＣｎとデータ電極Ｄ１〜Ｄｍとの間で放電が発生し、この放電を補助放電として放電セルＣｉ，ｊにおける走査電極ＳＣｉと維持電極ＳＵｉとの間の放電が誘発されて、２回目の維持放電が発生する。以降同様に、走査電極ＳＣ１〜ＳＣｎと維持電極ＳＵ１〜ＳＵｎとに維持パルスを交互に印加することにより、書込み放電を起こした放電セルＣｉ，ｋに対して維持パルスの回数だけ維持放電が継続して行われる。
【００４６】
このように、本発明の第１の実施の形態では、奇数行目の放電セルＣｐ，１〜Ｃｐ，ｍの書込み動作において、背面基板３１側に設けたプライミング電極ＰＲｐと前面基板２１側に設けた走査電極ＳＣｐとの間でプライミング放電を発生させる。このプライミング放電の発生により、放電セルＣｐ，１〜Ｃｐ，ｍと放電セルＣｐ＋１，１〜Ｃｐ＋１，ｍとの内部にプライミングを供給することができ、放電遅れが小さく、高速かつ安定した書込み放電を実現することができる。また、走査電極ＳＣ１〜ＳＣｎまたは維持電極ＳＵ１〜ＳＵｎとデータ電極Ｄ１〜Ｄｍとの間で維持放電のための補助放電を起こすことで、維持放電を安定して発生することができる。
【００４７】
以上説明したように、本発明の第１の実施の形態に示すプラズマディスプレイパネルは、長ギャップ構成とすることで発光効率を高め、さらに、背面基板側にプライミング電極を設けることで、放電遅れが小さく、高速かつ安定な書込み放電を実現することができる。
【００４８】
（第２の実施の形態）
図７は本発明の第２の実施の形態におけるプラズマディスプレイパネルを示す断面図であり、図８は同パネルの背面基板側の構造を模式的に示す斜視図である。
【００４９】
図７および図８に示すように、本発明の第２の実施の形態において、横壁部３４ｂは誘電体層３３ｂ上に形成された第１の横壁部３４ｂ１と第１の横壁部３４ｂ１上に形成された第２の横壁部３４ｂ２との２層で構成されている。また、第１の横壁部３４ｂ１は第２の横壁部３４ｂ２よりも幅が広く形成され、さらに、第１の横壁部３４ｂ１が第２の横壁部３４ｂ２よりも主放電セル４０内に突出するように配置している。したがって、横壁部３４ｂで形成される主放電セル４０の側面は、透明電極２２ａ、２３ａと対抗する面を備えた階段状の段差を備えた構成となる。そして、主放電セル４０に対応する誘電体層３３ｂの表面と隔壁３４の側面とに蛍光体層３５が設けられている。このように第２の実施の形態に示すプラズマディスプレイパネルが第１の実施の形態と異なる点は、横壁部３４ｂを第１の横壁部３４ｂ１と第２の横壁部３４ｂ２との２層で構成することで、主放電セル４０の側面に、透明電極２２ａ、２３ａと対抗する面を備えた階段状の段差を備えた構成とした点にある。
【００５０】
次に、本発明の第２の実施の形態において、主放電セル４０の側面に透明電極２２ａ、２３ａと対抗する面を備えた階段状の段差を設けた理由について説明する。
【００５１】
本発明では、走査電極２２または維持電極２３とデータ電極３２との間で維持放電のための補助放電を発生させている。つまり、維持放電と同じ回数の補助放電を走査電極２２または維持電極２３とデータ電極３２との間で発生させる構成としている。したがって、走査電極２２または維持電極２３とデータ電極３２との間の放電開始電圧を下げれば、消費電力を削減することができる。この放電開始電圧を下げるには副放電ギャップを短くすればよい。一方、維持放電を安定して発生させるためには、少なくとも維持放電を妨げないだけの放電空間が主放電セル４０に必要である。すなわち、走査電極２２または維持電極２３とデータ電極３２との間の放電開始電圧を下げ、かつ維持放電を安定して発生させるためには、副放電ギャップを短くすることと、維持放電のための放電空間を確保することとを両立しなければならない。
【００５２】
本発明の第２の実施の形態では、横壁部３４ｂを第１の横壁部３４ｂ１と第２の横壁部３４ｂ２との２層で構成し、主放電セル４０の側面に、透明電極２２ａ、２３ａと対抗する面を備えた階段状の段差を備えた構成とすることで、副放電ギャップを短くすると同時に維持放電のための放電空間を確保している。図７および図８に示すように、副放電ギャップは走査電極２２または維持電極２３と対向する第１の横壁部３４ｂ１上の蛍光体層３５の表面から保護層２５の表面までとなり、第１の横壁部３４ｂ１の厚みの分だけ副放電ギャップを短くすることができる。また、主放電セル４０の中央付近には第１の横壁部３４ｂ１がないので、維持放電に必要な放電空間を確保することができる。
【００５３】
本発明の第２の実施の形態では、副放電ギャップ（図７のｄＤ２）を約６０〜７０μｍ、第１の横壁部３４ｂ１の厚み（図７のｄＥ）を約８０〜９０μｍ、第１の横壁部３４ｂ１の走査電極２２または維持電極２３と対向する面の幅（図７のｄＦ）を約７０〜１００μｍとしている。
【００５４】
以上説明したように、本発明の第２の実施の形態に示すプラズマディスプレイパネルは、第１の実施の形態に加え、横壁部を第１の横壁部と第２の横壁部との２層で構成し、主放電セルの側面に透明電極と対抗する面を備えた階段状の段差を備えた構成とすることで、維持放電に必要な放電空間を確保しつつ副放電ギャップを短くし、走査電極または維持電極とデータ電極との間の放電開始電圧を下げることが可能となる。
【００５５】
なお、本発明の実施の形態に示した各数値はパネルのデザインや画素数、放電特性等によっても異なるため、機種毎に最適化する必要がある。
【産業上の利用可能性】
【００５６】
本発明にかかるプラズマディスプレイパネルは、発光効率が高く、さらに、書込み放電を高速で安定して行うことができるプラズマディスプレイパネルを提供することができ、産業上有用である。
【図面の簡単な説明】
【００５７】
【図１】本発明の第１の実施の形態におけるプラズマディスプレイパネルを示す断面図
【図２】本発明の第１の実施の形態におけるプラズマディスプレイパネルの背面基板側の構造を模式的に示す斜視図
【図３】主放電ギャップと発光輝度との関係を調べるために行った実験結果をまとめた図
【図４】主放電ギャップと発光効率との関係を調べるために行った実験結果をまとめた図
【図５】本発明の第１の実施の形態におけるプラズマディスプレイパネルの電極配列図
【図６】本発明の第１の実施の形態におけるプラズマディスプレイパネルの駆動波形図
【図７】本発明の第２の実施の形態におけるプラズマディスプレイパネルを示す断面図
【図８】本発明の第２の実施の形態におけるプラズマディスプレイパネルの背面基板側の構造を模式的に示す斜視図
【符号の説明】
【００５８】
２１    （ガラス製の）前面基板
２２    走査電極
２２ａ，２３ａ    透明電極
２２ｂ，２３ｂ    金属母線
２２ｂ’    突出部分
２３    維持電極
２４，３３ａ，３３ｂ    誘電体層
２５    保護層
２８    光吸収層
３１    （ガラス製の）背面基板
３２    データ電極
３４    隔壁
３４ａ    縦壁部
３４ｂ    横壁部
３４ｂ１    第１の横壁部
３４ｂ２    第２の横壁部
３５    蛍光体層
３６    プライミング電極
４０    主放電セル
４１    隙間部
４１ａ    プライミング（放電）セル
【図１】
2005174850.tif 000003
【図２】
2005174850.tif 000004
【図３】
2005174850.tif 000005
【図４】
2005174850.tif 000006
【図５】
2005174850.tif 000007
【図６】
2005174850.tif 000008
【図７】
2005174850.tif 000009
【図８】
2005174850.tif 000010